(57)【要約】      （修正有）【課題】着崩れし難く、容易に着付けられる帯を提供する。【解決手段】着物を着る際の腰に巻き付ける男性用着物帯は外帯と内帯を有しており、内帯は外帯に固定され、着用時の脇部近傍の内帯に弾性部を有し、着用前の状態で内帯の弾性部が固定される外帯の部分が、弾性部の縮みにより生じるたるみ部を有する。【選択図】図１
0003156767.tif 000002
【実用新案登録請求の範囲】
【請求項１】
着物を着る際の腰に巻き付ける男性用着物帯において、
前記着物帯は外帯と内帯を有し該内帯は該外帯に固定され、
前記着物帯の着用時の脇部近傍の前記内帯に弾性部を有し、
前記着物帯の着用前の状態で前記内帯の前記弾性部が固定される前記外帯の部分が、前記弾性部の縮みにより生じるたるみ部を有したことを特徴とする男性用着物帯。
【請求項２】
前記男性用着物帯の一端に予め結び目を設け、
前記結び目に前記男性用着物帯の他端を貫通させられるように前記結び目に空洞を設けた請求項１記載の男性用着物帯。
【請求項３】
前記着物帯の着用時に前記弾性部を両脇部にくるように設けた請求項１または２に記載の男性用着物帯。
【請求項４】
前記外帯に固定された前記内帯が一つながりになるように構成された請求項１乃至３のいずれか一つに記載の男性用着物帯。
【請求項５】
前記弾性部がシャーリングである請求項１乃至４のいずれか一つに記載の男性用着物帯。
【考案の詳細な説明】
【技術分野】
【０００１】
本考案は、一巻きで多少の伸縮に対応でき、着崩れし難い男性用着物帯に関する。
【背景技術】
【０００２】
一般的な男性用着物帯は、女性用のものとは異なり一本の帯で結ぶようになっている。この男性用着物帯は一般的に伸縮性のない素材で作られているため、体を動かしたり、呼吸をしたりするときの体の膨張、収縮に追従出来ない。このため、男性用着物帯は女性用着物帯と同じく着崩れが生じることがあり、定期的に着物を整えて男性用着物帯を結び直す必要があった。この着崩れの頻度を少なくするために、帯自体の中ほどにシャーリング（ゴム等の弾性体を用いて構成されたもの）などを設けた女性用着物帯の考案がされている（例えば、特許文献１参照。）。
【先行技術文献】
【特許文献】
【０００３】
【特許文献１】特開２００５−２４０２２６号公報
【考案の概要】
【考案が解決しようとする課題】
【０００４】
しかしながら、男性用着物帯は、女性用着物帯とは異なり飾り帯が無く、通常着物の上から２回巻いた後、背中側で結ぶようになっているが、締付ける度合いを調整しながら見栄えを良くするように巻き付けるには、習熟する（着慣れする）必要がある。
【０００５】
そこで本考案は、着崩れし難く、あまり習熟しなくても着物に巻けることができるような帯を提供することを目的としている。
【課題を解決するための手段】
【０００６】
本考案に係る着物を着る際の腰に巻き付ける男性用着物帯は、前記着物帯は外帯と内帯を有し該内帯は該外帯に固定され、前記着物帯の着用時の脇部近傍の前記内帯に弾性部を有し、前記着物帯の着用前の状態で前記内帯の前記弾性部が固定される前記外帯の部分が、前記弾性部の縮みにより生じるたるみ部を有したことを特徴とするように構成された。
【０００７】
このように構成することにより、男性用着物帯を巻いた際、前記弾性部が伸縮することにより、体にフィットし、着崩れを起こし難くすることができ、体の腹部への圧迫感を低減することができる。
【０００８】
上記考案において、前記男性用着物帯の一端に予め結び目を設け、前記結び目に前記男性用着物帯の他端を貫通させられるように前記結び目に空洞を設けることが好ましい。このように構成することにより、男性用着物帯を係止するときの左右の上下のズレが制限され、見栄え良く帯を巻くことができる
上記考案において、前記着物帯の着用時に前記弾性部が両脇部にくるように構成されることが好ましい。このように構成することにより、着物を着た際に両脇部で余った着物を整えることができる。
【０００９】
上記考案において、前記外帯に固定された前記内帯が一つながりになるように構成されることが好ましい。このように構成することにより、外帯に内帯を容易に固定させることができる。
【００１０】
上記考案において、前記弾性部がシャーリングであることが好ましい。このように構成することにより、男性用着物帯を取り外した後、弾性部が生地で覆われているため、帯の生地と一体感を出すことができる。
【考案の効果】
【００１１】
本考案によれば、帯を巻いた際、通常の帯に比べて着崩れし難く、また、帯を巻いている腹部への締付けを低減することができる。
【図面の簡単な説明】
【００１２】
【図１】本考案の実施の形態にかかる男性用着物帯を示す図であり、（ａ）は全体斜視図、（ｂ）は帯の裏側の展開斜視図、（ｃ）は帯の表側の展開斜視図である。
【図２】本考案の実施の形態にかかる男性用着物帯を平面図であり、図１（ｂ）の上方からみた図である。
【図３】本考案の男性用着物帯を腹に巻き付けたときの腹部の断面図であり、（ａ）は腹が通常状態のときの図であり、（ｂ）は腹が縮んだ状態のときの図である。
【図４】本考案の他の実施例を示した図である。
【図５】本考案の男性用着物帯を用いて着物を着るときの図であり、（ａ）〜（ｃ）は男性用着物帯を付ける手順を示している。
【考案を実施するための形態】
【００１３】
本考案の一実施形態を、図面を参照しつつ説明する。
【００１４】
図１（ａ）に示すように、男性用着物帯１は、主に２つの部分から構成され、着物に巻き付ける際に外側になる外帯２と、内側になる内帯３とを有しており、この外帯は内帯３と部分的に固定されるように構成されている。
【００１５】
この外帯２の両端部近傍には帯を結ばなくてもよいように、マジックテープ（登録商標）４、５）（幅約５０ｍｍ×長さ約１００ｍｍ）が内側と外側に設けられ、また、着物を着たときの見栄えをよくするために、男性用着物帯１の一端でマジックテープ（登録商標）５と重なる位置に予め結び目１６が設けられており、この双方のマジックテープ（登録商標）４、５を合わせるだけで男性用着物帯１を着物に巻き付けることができるように構成されている。
【００１６】
図１（ｂ）に示すように、外帯２に対して内帯３は図の左側から第１固定部８、第２固定部９、第３固定部１０、第４固定部１１で固定されており、内帯３の第１固定部８と第２固定部９との間に伸縮自在の第１弾性部６が設けられ、内帯３の第３固定部１０と第４固定部１１との間に伸縮自在の第２弾性部７が設けられている。この第１弾性部６及び第２弾性部７としてゴムバンド、又は外側を生地で覆い中側にゴムバンド等で形成したシャーリング（帯の生地と一体感を出すことができる）、又は縫製技術により伸縮性を要する加工をした生地等を用いることができる。また、内帯３の図の左端から第１弾性部６近傍までの間にはマジックテープ（登録商標）５が設けられ、図１（ｃ）の左側の端部近傍に設けられたマジックテープ（登録商標）４と合せることで、男性用着物帯１を体に巻き付けることができる。また、男性用着物帯１は着物に巻き付けるときに、第１弾性部６及び第２弾性部７が脇部の位置にくるようにある程度の距離を空けて形成され、第１弾性部６及び第２弾性部７の伸縮によって着物の前側及び後側に皺がよらないよう、脇部に皺がよるように形成されている。そして、第１弾性部６と第２弾性部７との間の内帯３には外帯２の形状を整えるために、生地を厚くしたり、芯地を入れたりする場合もある。
【００１７】
図２に示すように、内帯３と外帯２とは第１固定部８、第２固定部９、第３固定部１０、第４固定部１１で固定され、第１固定部８と第２固定部９との間の外帯２は、第１弾性部６の弾性力により外帯２が縮められたときに（着用前の自由な状態）たるみが出来るように左たるみ部１２が形成されている。また、第３固定部１０と第４固定部１１との間の外帯２は、第２弾性部７の弾性力により外帯２が縮められたときにたるみが出来るように右たるみ部１３が形成されている。この左たるみ部１２及び右たるみ部１３は外帯２に長手方向の引っ張り力を与えることで、男性用着物帯１は長手方向に引っ張られ、第１弾性部６及び第２弾性部７が伸長した状態で、左たるみ部１２及び右たるみ部１３のたるみが無くなるように構成されている。この状態で、男性用着物帯１を着物の上から巻き付けることにより、巻き付けた内側では、内側の内径が多少小さくなっても、第１弾性部６及び第２弾性部７が縮み、内側に対する締付力を維持することができる。つまり、体を動かすことにより内径が小さくなることに対して内帯３が追従できるので、締付力を維持でき、着崩れを低減することができる。
【００１８】
図３は本考案の男性用着物帯１を腹に巻き付けたときの腹部の断面図であり、（ａ）は腹が通常状態のときの図であり、（ｂ）は腹が縮んだ状態のときの図である。
【００１９】
図３（ａ）に示すように、男性用着物帯１を通常の状態で腹部に巻き付けた状態では、第１弾性部６及び第２弾性部７がある程度伸びた状態、つまり、外帯２と内帯３とが一体的に重なりあった状態で且つ第１弾性部６及び第２弾性部７が伸びきっていない状態、で着物（図示せず）を介して腹部に巻き付けられている。これにより、第１弾性部６及び第２弾性部７が伸びきった状態で男性用着物帯１
を形成した場合に比べ、一定の弾性力を保つことが出来ると共に、弾性力に関する耐久性を向上させることができる。また、図３（ｂ）に示すように、腹が縮んだ状態では、外帯２に左たるみ部１２及び右たるみ部１３が出来るものの、外帯２に固定された内帯３の第１弾性部６及び第２弾性部７が体の収縮に合わせて縮み、体に追従して締付力を維持できるので、着崩れの原因の一つである腹部の収縮に追従でき、男性用着物帯１の着物への締付ける力を維持することができるので着崩れを起こし難くすることができる。また、食事をした後等の腹部が膨張した場合にも、第１弾性部６及び第２弾性部７がある程度伸びた状態で着物（図示せず）を介して腹部に巻き付けられているので、第１弾性部６及び第２弾性部７が更に伸びることが出来き、腹部への圧迫を低減することができる。そして、図１には左たるみ部１２と第１弾性部６、及び右たるみ部１３と第２弾性部７が一対になって記載されているが、たるみ部と弾性部の対は２つに限らず、１つであっても、３つ以上であっても（図示せず）同じ作用を与えることができる。
【００２０】
図４は本考案の他の実施例を示した図である。
【００２１】
図４に示すように、結び目１６には男性用着物帯１の他端を貫通させることができるような空洞１７を有しており、男性用着物帯１を巻く際に、この空洞１７に男性用着物帯１の他端を矢印の方向に通した後、この他端近傍に設けられた係止部１８と、結び目１６の近傍で外帯２の外側に設けられた係止部１９とで係合することにより、男性用着物帯１を固定させることができる。また、男性用着物帯１を結び目１６の空洞１７を貫くことにより、男性用着物帯を係止するときの左右の上下のズレが制限され、見栄え良く帯を巻くことができる。
【００２２】
図５は本考案の男性用着物帯１を用いて着物１４を着るときの図であり、（ａ）〜（ｃ）は男性用着物帯１を付ける手順を示している。
【００２３】
図５（ａ）に示すように、着物１４を着る際、まず着物の前側を適当な位置でクリップ１５等で挟み仮止めする。次に図５（ｂ）に示すように、男性用着物帯１を腹部の適当な位置に巻き付ける。この際、第１弾性部６、及び第２弾性部７がある程度伸びた状態で巻き付けるようにすれば、お腹周りの縮小または膨張（空腹時には腹部回りが縮み、満腹時には腹部回りが膨らむ）に追従することができ、着崩れを低減することができる。そして、図５（ｃ）のように、図３（ａ）のような第１弾性部６、及び第２弾性部７がある程度伸びた状態で背中側のマジックテープ（登録商標）４、５を貼り合せることにより、簡単に着崩れし難い着付けができるようになる。また、体形の違いによる腹回りの違いを、マジックテープ（登録商標）４、５の貼り合せによって調整することができるので、同じ長さの男性用着物帯１を体形の異なる人が使用でき、異なる長さの男性用着物帯１を多く作る必要がなく汎用性に富み、生産コストを抑えることができる。また、図１〜図５には外帯２に一つなぎの内帯３が固定される構成になっているが、内帯３は必ずしも一つなぎである必要はなく、分割されて固定された構成であっても、本考案の作用効果が得られる。つまり、内帯３の第１弾性部６と第２弾性部７と間が分かれていても、第１弾性部６及び第２弾性部７が男性用着物帯１の着付時の脇部にくるように構成されていれば、本考案の作用効果が得られる。
【００２４】
なお、本考案は、実施の形態に限定されず、考案の趣旨を逸脱しない範囲で追加、削除、変更が可能である。
【符号の説明】
【００２５】
１  男性用着物帯
２  外帯
３  内帯
４、５  マジックテープ（登録商標）
６  第１弾性部
７  第２弾性部
８  第１固定部
９  第２固定部
１０  第３固定部
１１  第４固定部
１２  左たるみ部
１３  右たるみ部
１４  着物
１５  クリップ
１６  結び目
１７  空洞
１８、１９  係止部
【図１】
0003156767.tif 000003
【図２】
0003156767.tif 000004
【図３】
0003156767.tif 000005
【図４】
0003156767.tif 000006
【図５】
0003156767.tif 000007